(57)【特許請求の範囲】
【請求項１】
被加熱物を収納する加熱室と、前記被加熱物を加熱する加熱手段と、加熱手段を収納する機械室と、前記加熱室および前記機械室の換気を行うファンと、前記ファンに送風する空気を取り入れる吸気口と、前記加熱物から発生する加熱生成ガスを排出する排気口と、前記排気口または前記吸気口の少なくともどちらか一方に設けられた開閉自在の扉と、機体外の温度を検知する手段とを備え、機体外の温度が設定された温度以上になると、扉を開き、ファンを作動させる構成とした加熱調理装置。
【請求項２】
被加熱物から発生する加熱生成ガスを戸外へ排気するために排気口の扉を上方に開口する構成とした請求項１記載の加熱調理装置。
【請求項３】
扉の開閉を制御する制御装置を設け、ファンが作動すると前記扉を開き、前記ファンが停止すると前記扉を閉じるようにした請求項１または２記載の加熱調理装置。
【発明の詳細な説明】
【０００１】
【発明の属する技術分野】
本発明は加熱調理装置に関し、特に下部に設けられた加熱調理装置の上部に設置する調理器の構成に関するものである。
【０００２】
【従来の技術】
従来この種の加熱調理装置は、図３に示されているように排気口１にルーバ２が構成されており、このルーバ２を通して機体内から空気を排気するようになっていた。
【０００３】
【発明が解決しようとする課題】
しかしながら、従来の加熱調理装置では、被加熱物から発生するガスにより、ルーバが汚れやすいという問題を有していた。さらに、ルーバの汚れを目立たなくするために、ルーバの開口面積を小さくすると、加熱室や機械室からの排気が少なくなるので、加熱室内が汚れたり、機械室内の電気部品の温度が部品の耐熱温度を越えてしまうという問題を有していた。
【０００４】
【課題を解決するための手段】
本発明は上記課題を解決するために機体の吸気口または排気口に、扉を開閉自在に設置したものである。
【０００５】
上記発明によれば、吸気または排気時に汚れた空気が、開かれた扉の機体側の面を通るため機体外面側の汚れを目立ちにくくすることができる。また、汚れが目立たないので、扉を小さくする必要がなく、排気または吸気を確保できるため、加熱室内の汚れや機械室内の部品の温度を低減することができる。
【０００６】
【発明の実施の形態】
本発明は被加熱物を収納する加熱室と前記被加熱物を加熱する加熱手段と、加熱室の換気を行うファンと、前記ファンに送風する空気を取り入れる吸気口と、前記加熱物から発生する加熱生成ガスを排出する排気口と、前記排気口または前記吸気口に設けられた開閉自在の扉とを有するものである。
【０００７】
さらに機体外の温度を検知する手段を備え、機体外の温度が設定された温度以上になると、前記扉を開き、前記ファンを作動させる構成とするものである。
【０００８】
そして機体の吸気口または排気口に扉を開閉自在に設置し、吸気または排気時に汚れた空気が開かれた扉の内面すなわち機体側の面を通るため、扉の外面すなわち機体外面側の汚れを目立ちにくくすることができる。また、汚れが目立たないので、扉を小さくする必要がなく、排気または吸気を確保できるため、加熱室内の汚れや機械室内の部品の温度を低減することができる。
【０００９】
そして近接する機器からの熱伝達による機械室内の部品の温度上昇を防ぐことができる。
【００１０】
また、加熱物から発生する加熱生成ガスを戸外へ排気するために排気口の扉を上方に開口するものである。
【００１１】
そして排気口から排気された汚れた空気が、機体内に還元することなく戸外に排気され、吸気口及び排気口を汚さず、機械室内の部品の温度を低減することができる。
【００１２】
また、前記扉の開閉を制御する制御装置を設け、前記ファンが作動すると前記扉を開き、前記ファンが停止すると前記扉を閉じるようにしたものである。
【００１３】
そしてファンが回転しないときは、機体外からの埃などの異物の進入を防ぐことができ、異物が機械室内の充電部に堆積し短絡電流が流れることによる火災、感電を防止することができる。
【００１４】
以下、本発明の実施例について図面を用いて説明する。
【００１５】
（実施例１）
図１は本発明の一実施例の加熱調理装置の外観斜視図である。また図２は加熱調理装置の要部断面図である。
【００１６】
図において、１は機体内の空気を排気する排気口であり、この排気口１に第一の扉３が開閉自在に取り付けられている。４は被加熱物を収納する加熱室であり、５は高周波を発生するマグネトロン等からなる機械室であり、６は加熱室と機械室の換気を行うプロペラファンである。７は加熱室と機械室へ冷却風を導く吸気通路である。８は機体外の空気を吸気通路７へ取り入れる第二の扉であり９は第２の扉８を開閉自在に取り付けた吸気口である。吸気口９より取り入れられた冷却風はプロペラファン６によって機械室５内及び加熱室４内へ送られる。機械室５及び加熱室４からの排気は、上方に向けて開口した第一の扉３の内面すなわち機体側の面を通って排気される。機体から排気された空気は、加熱調理装置の上部に設置された換気口から戸外へ排気される。１０は第１の扉３と第２の扉８を開閉する制御装置である。１１は、機体外の温度を検知する温度スイッチである。
【００１７】
次に動作、作用について説明すると機体外の空気がたとえば、機体に近接したガスコンロなどで調理されている調理物から出る油煙等で汚れている場合、吸気口９から吸気される空気は、開いた第二の扉８の機体側の面を通るので、第二の扉８の機体外面側には汚れがつきにくくすることができる。また、加熱室４の中の調理物などの被加熱物から排出される排ガスも同様に開いた第一の扉３の機体側の面を通り換気口から排気されるので、第一の扉３の外面すなわち機体外面側には汚れがつきにくくすることができる。
【００１８】
なお、プロペラファン６が動作していないときに、第一の扉３及び第二の扉８を閉じることにより、機体表面の凹凸をなくし、掃除しやすくなる上、機体外からの埃などの異物の侵入を防ぐことができるものである。
【００１９】
さらに、温度スイッチ１１が近接した機器からの伝達熱を検知し、第１の扉３及び第２の扉８を開きプロペラファン６を回転させることにより、機械室５内部の部品を冷却するものである。
【００２０】
【発明の効果】
以上のように本発明によれば機体の吸気口または排気口に扉を開閉自在に設置したものであるので、吸気または排気時に汚れた空気が、開かれた扉の機体側の面を通るようにしているため、機体外面側の汚れを目立ちにくくすることができるという有利な効果を有する。
【００２１】
また汚れが目立たないので扉を小さくする必要がないため、排気または吸気の風量を確保でき、加熱室内の汚れや機械室内の部品の温度を低減することができる。また、ファンが動作していないときに、扉を閉じることにより、機体表面の凹凸をなくし、掃除しやすくなる上、機体外からの埃などの異物の侵入を防ぐことができるものである。さらに、機体外の温度の検知手段が近接した機器からの伝達熱を検知し、扉を開きファンを回転させることにより、機械室内部の部品を冷却するものである。
【図面の簡単な説明】
【図１】本発明の一実施例の加熱調理装置の外観斜視図
【図２】同加熱調理装置の要部断面図
【図３】従来の加熱装置の外観斜視図
【符号の説明】
１  排気口
３  第１の扉（排気口の扉）
４  加熱室
５  機械室
６  プロペラファン（ファン）
８  第２の扉（吸気口の扉）
９  吸気口
１０  制御装置
【図１】
0003570131.tif 000002
【図２】
0003570131.tif 000003
【図３】
0003570131.tif 000004